(57)【要約】【課題】ソケットの端子付き中心片又は端子付き側片に必要な部材の数を減らすことを目的とする。また、ソケットの端子付き中心片又は端子付き側片の構造を、加工に手間がかかりにくい構造とすることを目的とする。【解決手段】ソケットの本体は、絶縁部材からなるランプ受け部とランプ受け部に連結する端子金具収納部とを備える。端子金具収納部は、電線を挿入可能な電線挿入口を両端に有する。端子金具収納部には、端子付き中心片１１と端子付き側片とが配置される。端子付き中心片１１は、電線挿入口の一端から挿入される電線と他端から挿入される電線とを接続可能な１対の速結端子金具１６ａ，ｂ、ランプ口金の先端部に接触可能な中心片１７を有する。端子付き中心片１１は、バネ性のある導電部材からなる平板の一部を折り曲げ加工してその速結端子金具１６ａ，ｂと中心片１７とを設けた一部材で形成されている。【選択図】図５
2008210565.tif 000002
【特許請求の範囲】
【請求項１】
絶縁部材からなるランプ受け部であって、ねじ込み式のランプ口金を装着可能なランプ受け部と、
前記ランプ受け部に連結する端子金具収納部であって、電線を挿入可能な電線挿入口を両端に有する端子金具収納部と、
前記端子金具収納部の電線挿入口の一端から挿入される電線と他端から挿入される電線とを接続可能な速結端子金具と、前記ランプ口金に接触して当該ランプに給電する接触片とを有する端子付き接触片とを備え、
前記端子付き接触片は、バネ性のある導電部材からなる平板の一部を折り曲げ加工してその速結端子金具と接触片とを設けた一部材で形成されていることを特徴とするランプソケット。
【請求項２】
前記端子付き接触片は、長手状の導電板である平板の長手方向の両端をそれぞれ左側及び右側とし、短手方向の両端をそれぞれ上側及び下側とした場合、１対の速結端子金具として、その平板の一部を上側から折り曲げ加工して左右両側に設けた折り曲げ片と、その平板の一部を下側から折り曲げ加工して左右同じ側の折り曲げ片と対向するように左右両側に設けた折り曲げ対向部と、前記平板の長手方向の両端を外側とした場合、左右両側の折り曲げ対向部の一部をさらに外側から折り曲げ加工して左右両側に設けた鎖錠片と、左右両側の折り曲げ対向部の一部をさらに内側から折り曲げ加工して左右同じ側の鎖錠片と対向するように左右両側に設けた押圧片とを有することを特徴とする請求項１に記載のランプソケット。
【請求項３】
前記端子付き接触片は、接触片として、左側又は右側の折り曲げ対向部の折り曲げ加工された側から反対側に延設した長手状の金属片を少なくとも上側から折り曲げ加工して前記ランプ口金の先端部に接触可能な位置に届くように設けた中心片を有することを特徴とする請求項２に記載のランプソケット。
【請求項４】
前記端子付き接触片は、接触片として、左側又は右側の折り曲げ対向部の折り曲げ加工された側から反対側に延設した長手状の金属片を少なくとも上側から折り曲げ加工して前記ランプ口金のねじ部に接触可能な位置に届くように設けた側片を有することを特徴とする請求項２に記載のランプソケット。
【請求項５】
前記接触片となる長手状の金属片の長手方向と前記平板の長手方向とは、略平行であることを特徴とする請求項３又は４に記載のランプソケット。
【請求項６】
前記ランプソケットは、前記端子付き接触片を少なくとも２つ備え、
１つの端子付き接触片は、接触片として、前記ランプ口金の先端部に接触可能な中心片を有する端子付き中心片であり、
他の１つの端子付き接触片は、接触片として、前記ランプ口金のねじ部に接触可能な側片を有する端子付き側片であることを特徴とする請求項２に記載のランプソケット。
【請求項７】
前記端子付き中心片は、中心片として、左右いずれか所定の側の折り曲げ対向部の折り曲げ加工された側から反対側に延設した長手状の金属片を少なくとも上側から折り曲げ加工して前記ランプ口金の先端部に接触可能な位置に届くように設けた中心片を有し、
前記端子付き側片は、側片として、前記所定の側の折り曲げ対向部の折り曲げ加工された側から反対側に延設した長手状の金属片を少なくとも上側から折り曲げ加工して前記ランプ口金のねじ部に接触可能な位置に届くように設けた側片を有し、
前記端子付き中心片と前記端子付き側片とは、それぞれの折り曲げ対向部の折り曲げ加工された側から反対側に向き合うように前記端子金具収納部に配置されることを特徴とする請求項６に記載のランプソケット。
【請求項８】
請求項１から７までのいずれかに記載のランプソケットを使用した照明器具。
【発明の詳細な説明】
【技術分野】
【０００１】
本発明は、ランプソケット及びそのランプソケットを使用した照明器具に関するものである。本発明は、特に、ねじ込みソケットに関するものである。
【背景技術】
【０００２】
主にダウンライトなどの照明器具に搭載されるソケットとして、左右から各々電線を接続でき（電源の入力接続、送り接続が可能）、かつ、ねじ込み方式のランプ口金を装着できるように構成されているものが知られている（例えば、特許文献１参照）。このような従来のソケットの内部では、一方の極に、ソケットの左右方向に速結端子金具を各々もち、かつ、ランプ口金のトップ部と接触可能な中心片をもつ端子付き中心片が配置され、もう一方の極には、ソケットの左右方向に速結端子金具を各々もち、かつ、ランプ口金のねじ部と接触可能な側片をもつ端子付き側片が配置されており、ランプ口金を電気接続できるようになっている。速結端子金具の構造は、導電板の長手方向の左右を短手方向からコ字形に折り曲げ、コ字形の部分にステンレス製の鎖錠片と押圧片をもつバネを収納したものとなっている。また、上記導電板の長手方向の略中心から、中心片又は側片をカシメ接続することで、ランプ口金を電気接続できるようになっている。
【特許文献１】特開平８−２２８７６号公報（図３）
【特許文献２】特開平８−１３００７３号公報
【特許文献３】特開平８−１３００７６号公報
【特許文献４】特開平８−１３００７７号公報
【発明の開示】
【発明が解決しようとする課題】
【０００３】
上記のような従来のソケットでは、１つの極に、端子付き中心片又は端子付き側片として、４つの部材（導電板が１つ、バネが２つ、中心片又は側片が１つ）を要するため、部品点数が多いという課題があった。また、４つの部材をプレス加工し、さらに、カシメ加工やバネ組み込み加工を行う必要があるため、加工に手間がかかるという課題があった。さらに、その結果として、ソケットのコストが高いという課題があった。
【０００４】
本発明は、例えば、ソケットの端子付き中心片又は端子付き側片に必要な部材の数を減らすことを目的とする。また、例えば、ソケットの端子付き中心片又は端子付き側片の構造を、加工に手間がかかりにくいものとすることを目的とする。
【課題を解決するための手段】
【０００５】
本発明の一の態様に係るランプソケットは、
絶縁部材からなるランプ受け部であって、ねじ込み式のランプ口金を装着可能なランプ受け部と、
前記ランプ受け部に連結する端子金具収納部であって、電線を挿入可能な電線挿入口を両端に有する端子金具収納部と、
前記端子金具収納部の電線挿入口の一端から挿入される電線と他端から挿入される電線とを接続可能な速結端子金具と、前記ランプ口金の先端部に接触可能な中心片とを有する端子付き中心片とを備え、
前記端子付き中心片は、バネ性のある導電部材からなる平板の一部を折り曲げ加工してその速結端子金具と中心片とを設けた一部材で形成されていることを特徴とする。
【発明の効果】
【０００６】
本発明の一の態様によれば、ランプソケットが備える端子付き中心片が、バネ性のある導電部材からなる平板の一部を折り曲げ加工してその速結端子金具と中心片とを設けた一部材で形成されているため、端子付き中心片に必要な部材の数を減り、端子付き中心片の構造が、加工に手間がかかりにくいものとなり、さらには、ランプソケットのコストが抑えられる。
【発明を実施するための最良の形態】
【０００７】
以下、本発明の実施の形態について、図を用いて説明する。
【０００８】
実施の形態１．
図１は、ねじ込みソケット１０を使用した照明器具５０（ダウンライト）の部分断面図（正面図）である。
【０００９】
照明器具５０の器具本体７０には、本実施の形態に係るランプソケットとして、ねじ込みソケット１０がネジで取り付けられている。ねじ込みソケット１０には、ねじ込み式の口金をもつランプ６０が装着されている。
【００１０】
本実施の形態では、図２〜４に示すねじ込みソケット１０を使用することにより、安価な照明器具５０を提供することができる。
【００１１】
図２の（ａ）は、ねじ込みソケット１０の平面図（上面図）、図２の（ｂ）は、そのカバー４０を外した状態の平面図（上面図）である。図３の（ａ）は、ねじ込みソケット１０の正面図、図３の（ｂ）は、ねじ込みソケット１０の底面図（下面図）である。図４の（ａ）は、ねじ込みソケット１０の図２におけるＡ−Ａ線断面図、図４の（ｂ）は、ねじ込みソケット１０の図２におけるＢ−Ｂ線断面図である。
【００１２】
ねじ込みソケット１０の本体３０は、絶縁部材からなるランプ受け部３２と、ランプ受け部３２に連結する端子金具収納部３１とのほか、電線解除用ボタン４１ａ，ｂや照明器具取付用ネジ穴３３ａ，ｂを備える。ランプ受け部３２は、略円筒状であり、ねじ込み式のランプ口金を装着可能である。図４の（ａ）に示すように、ランプ受け部３２の間口部分は、ランプ６０の口金を入れやすくするため、広めに形成されている。また、図３の（ｂ）、図４の（ａ）では、ランプ６０の口金をねじ込むためのネジ山４２のほか、本体３０の金型を抜くための溝４３がランプ受け部３２に設けられているが、この溝４３はなくてもよい。端子金具収納部３１は、略箱状であり、ランプ受け部３２に連結する側（各図では、下側）と逆側（各図では、上側）が開口されており、この開口は、絶縁部材からなるカバー４０によって閉塞される。端子金具収納部３１は、電線を挿入可能な電線挿入口３４ａ，ｂ，３５ａ，ｂを両端（各図では、左右両側）に有する。電線挿入口３４ａ，３５ｂに挿入された電線は、電線解除用ボタン４１ａによって解除することができる。同様に、電線挿入口３４ｂ，３５ａに挿入された電線は、電線解除用ボタン４１ｂによって解除することができる。ねじ込みソケット１０の本体３０は、照明器具取付用ネジ穴３３ａ，ｂを介して、照明器具５０の器具本体７０にネジ留めされる。
【００１３】
ねじ込みソケット１０の端子金具収納部３１には、図５に示す端子付き中心片１１と図６に示す端子付き側片２１とが配置される。
【００１４】
図５（ａ）は、ねじ込みソケット１０が備える端子付き中心片１１の斜視図、図５（ｂ）は、その端子付き中心片１１の展開図である。以下に説明するように、図５（ｂ）に示す導電板の点線部分をそれぞれ折り曲げ加工することで、図５（ａ）に示す形状の端子付き中心片１１を製造することができる（端子付き中心片１１の製造方法）。そして、この端子付き中心片１１を端子金具収納部３１に組み込むことで、図２〜４に示したねじ込みソケット１０を製造することができる（ねじ込みソケット１０の製造方法）。
【００１５】
端子付き中心片１１は、端子金具収納部３１の電線挿入口３４ａ，ｂの一端（例えば、電線挿入口３４ａ）から挿入される電線と他端（例えば、電線挿入口３４ｂ）から挿入される電線とを接続可能な１対の速結端子金具１６ａ，ｂ、ランプ口金の先端部（トップ部）に接触可能な中心片１７を有する。端子付き中心片１１は、バネ性のある導電部材からなる平板の一部を折り曲げ加工してその速結端子金具１６ａ，ｂと中心片１７とを設けた一部材で形成されている。
【００１６】
以下、端子付き中心片１１の詳細について説明する。以下では、図５に示すように、長手状の導電板である平板の長手方向の両端をそれぞれ左側及び右側とし、短手方向の両端をそれぞれ上側及び下側として説明する。また、導電板の長手方向の両端をそれぞれ外側とし、中心部を内側として説明する。
【００１７】
端子付き中心片１１は、速結端子金具１６ａとして、導電板の左側の一部を上側から折り曲げ加工して左側に設けた折り曲げ片１２ａと、導電板の左側の一部を下側から折り曲げ加工して同じ側（左側）の折り曲げ片１２ａと対向するように左側に設けた連結部１３ａ（折り曲げ対向部）と、連結部１３ａの一部をさらに外側から折り曲げ加工して左側に設けた鎖錠片１４ａと、連結部１３ａの一部をさらに内側から折り曲げ加工して同じ側（左側）の鎖錠片１４ａと対向するように左側に設けた押圧片１５ａとを有する。同様に、端子付き中心片１１は、速結端子金具１６ｂとして、導電板の右側の一部を上側から折り曲げ加工して右側に設けた折り曲げ片１２ｂと、導電板の右側の一部を下側から折り曲げ加工して同じ側（右側）の折り曲げ片１２ｂと対向するように右側に設けた連結部１３ｂ（折り曲げ対向部）と、連結部１３ｂの一部をさらに外側から折り曲げ加工して右側に設けた鎖錠片１４ｂと、連結部１３ｂの一部をさらに内側から折り曲げ加工して同じ側（右側）の鎖錠片１４ｂと対向するように右側に設けた押圧片１５ｂとを有する。
【００１８】
つまり、端子付き中心片１１は、長手状の導電板の長手方向の左右を短手方向の上側から折り曲げて折り曲げ片１２ａ，ｂを形成している。そして、折り曲げ片１２ａ，ｂに対向するように、他方側から折り曲げた連結部１３ａ，ｂをもち、連結部１３ａ，ｂの左右端部のうち、導電板の長手方向の外側にある端部（連結部１３ａの場合は左端部、連結部１３ｂの場合は右端部）を折り曲げ片１２ａ，ｂに向き合うように折り曲げた鎖錠片１４ａ，ｂと、連結部１３ａ，ｂの左右端部のうち、導電板の長手方向の内側にある端部（連結部１３ａの場合は右端部、連結部１３ｂの場合は左端部）を折り曲げ片１２ａ，ｂに向き合うように折り曲げた押圧片１５ａ，ｂとをもち、１対の速結端子金具１６ａ，ｂを形成している。このように、端子付き中心片１１は、左右の電線挿入口３４ａ，ｂから電線が挿入されると、折り曲げ片１２ａ，ｂと鎖錠片１４ａ，ｂと押圧片１５ａ，ｂとが電線を挟み込んで接続できるように構成されている。
【００１９】
本実施の形態では、中心片１７として、左側の連結部１３ａ（右側の連結部１３ｂでもよい）の折り曲げ加工された側から反対側に長手状の金属片が延設され、この金属片は、ランプ口金の先端部に接触可能な位置に届くように、少なくとも上側から折り曲げ加工されている。さらに、中心片１７の略先端には、ランプ口金の先端部に接触しやすいように、中心片１７をエンボス加工した突起部１８が設けられているが、突起部１８はなくてもよい。また、本実施の形態では、中心片１７となる長手状の金属片を、その長手方向が導電板の長手方向と略平行となるように形成しているが、この金属片の長手方向と導電板の長手方向とは平行でなくてもよい。
【００２０】
つまり、中心片１７は、連結部１３ａ，ｂのうち、片側の連結部１３ａの折り曲げられた側の逆端から、導電板の長手方向に延設されている。さらに、中心片１７は、長手状であり、中心片１７の長手方向に折り曲げて形成されている。このように、中心片１７は、ねじ込みソケット１０のランプ受け部３２にランプ口金がねじ込まれると、中心片１７の突起部１８がランプ口金のトップ部に当接し、中心片１７がたわみ（図４の（ａ）の中心片１７´の状態になる）、ランプ６０を電気接続できるように形成されている。
【００２１】
以上のように、本実施の形態では、端子付き中心片１１を、導電部材からなる平板を折り曲げ加工した一部材で形成しているため、安価なソケットを提供することが可能となる。
【００２２】
図６（ａ）は、ねじ込みソケット１０が備える端子付き側片２１の斜視図、図６（ｂ）は、その端子付き側片２１の展開図である。以下に説明するように、図６（ｂ）に示す導電板の点線部分をそれぞれ折り曲げ加工することで、図６（ａ）に示す形状の端子付き側片２１を製造することができる（端子付き側片２１の製造方法）。そして、この端子付き側片２１を端子金具収納部３１に組み込むことで、図２〜４に示したねじ込みソケット１０を製造することができる（ねじ込みソケット１０の製造方法）。
【００２３】
端子付き側片２１は、端子金具収納部３１の電線挿入口３５ａ，ｂの一端（例えば、電線挿入口３５ａ）から挿入される電線と他端（例えば、電線挿入口３５ｂ）から挿入される電線とを接続可能な１対の速結端子金具２６ａ，ｂ、ランプ口金のねじ部に接触可能な側片２７を有する。端子付き側片２１は、端子付き中心片１１と同様に、バネ性のある導電部材からなる平板の一部を折り曲げ加工してその速結端子金具２６ａ，ｂと側片２７とを設けた一部材で形成されている。
【００２４】
以下、端子付き側片２１の詳細について説明する。以下では、図６に示すように、長手状の導電板である平板の長手方向の両端をそれぞれ左側及び右側とし、短手方向の両端をそれぞれ上側及び下側として説明する。また、導電板の長手方向の両端をそれぞれ外側とし、中心部を内側として説明する。
【００２５】
端子付き側片２１は、速結端子金具２６ａとして、導電板の左側の一部を上側から折り曲げ加工して左側に設けた折り曲げ片２２ａと、導電板の左側の一部を下側から折り曲げ加工して同じ側（左側）の折り曲げ片２２ａと対向するように左側に設けた連結部２３ａ（折り曲げ対向部）と、連結部２３ａの一部をさらに外側から折り曲げ加工して左側に設けた鎖錠片２４ａと、連結部２３ａの一部をさらに内側から折り曲げ加工して同じ側（左側）の鎖錠片２４ａと対向するように左側に設けた押圧片２５ａとを有する。同様に、端子付き側片２１は、速結端子金具２６ｂとして、導電板の右側の一部を上側から折り曲げ加工して右側に設けた折り曲げ片２２ｂと、導電板の右側の一部を下側から折り曲げ加工して同じ側（右側）の折り曲げ片２２ｂと対向するように右側に設けた連結部２３ｂ（折り曲げ対向部）と、連結部２３ｂの一部をさらに外側から折り曲げ加工して右側に設けた鎖錠片２４ｂと、連結部２３ｂの一部をさらに内側から折り曲げ加工して同じ側（右側）の鎖錠片２４ｂと対向するように右側に設けた押圧片２５ｂとを有する。
【００２６】
本実施の形態では、側片２７として、左側の連結部２３ａ（右側の連結部２３ｂでもよい）の折り曲げ加工された側から反対側に長手状の金属片が延設され、この金属片は、ランプ口金のねじ部に接触可能な位置に届くように、少なくとも上側から折り曲げ加工されている。また、本実施の形態では、側片２７となる長手状の金属片を、その長手方向が導電板の長手方向と略平行となるように形成しているが、この金属片の長手方向と導電板の長手方向とは平行でなくてもよい。
【００２７】
つまり、側片２７は、連結部２３ａ，ｂのうち、片側の連結部２３ａの折り曲げられた側の逆端から、導電板の長手方向に延設されている。さらに、側片２７は、長手状であり、側片２７の長手方向に折り曲げて、連結部２３ａの略垂直方向に配置されるように形成されている。このように、側片２７は、ねじ込みソケット１０のランプ受け部３２にランプ口金がねじ込まれると、側片２７がランプ口金のねじ部に当接し、側片２７がたわみ（図４の（ａ）の側片２７´の状態になる）、ランプ６０を電気接続できるように形成されている。
【００２８】
以上のように、本実施の形態では、端子付き側片２１を、導電部材からなる平板を折り曲げ加工した一部材で形成しているため、安価なソケットを提供することが可能となる。
【００２９】
本実施の形態では、ねじ込みソケット１０に、前述した端子付き中心片１１と端子付き側片２１とを両方組み込んでいるが、いずれか一方を組み込むだけでも、部品点数が削減でき、安価なソケットを提供することが可能となる。
【００３０】
本実施の形態では、端子付き中心片１１の中心片１７は、左側（所定の側）の連結部１３ａの折り曲げ加工された側から反対側に延設した長手状の金属片を折り曲げ加工したものである。そして、端子付き側片２１の側片２７は、左側（所定の側）の連結部２３ａの折り曲げ加工された側から反対側に延設した長手状の金属片を折り曲げ加工したものである。図２〜４に示したように、端子付き中心片１１と端子付き側片２１とは、それぞれの連結部１３ａ，２３ａの折り曲げ加工された側から反対側に向き合うように端子金具収納部３１に配置されている。即ち、端子付き中心片１１の連結部１３ａ，ｂのうち、中心片１７が延設されている側と、端子付き側片２１の連結部２３ａ，ｂのうち、側片２７が延設されている側とが、左右逆側となり、中心片１７と側片２７とが向き合うように、端子付き中心片１１と端子付き側片２１とが配置されている。これにより、端子付き中心片１１と端子付き側片２１との間のスペースを有効活用することができる。つまり、中心片１７と側片２７とが向き合うように配置されているので、端子金具収納部３１の短軸方向の長さを、中心片１７と側片２７が重なっている分、短くすることが可能となる。
【００３１】
以上のように、本実施の形態では、ソケットを小型化することができる。
【００３２】
実施の形態２．
本実施の形態について、主に実施の形態１との差異を説明する。
【００３３】
図７の（ａ）は、図５の（ｂ）に示した実施の形態１のねじ込みソケット１０が備える端子付き中心片１１の展開図、図７の（ｂ）は、本実施の形態のねじ込みソケット１０が備える端子付き中心片１１の展開図である。
【００３４】
実施の形態１では、図７の（ａ）に示すように、中心片１７が、連結部１３ａの折り曲げ加工された側から反対側に長手状の金属片が延設されていた。また、この金属片は、その長手方向が導電板の長手方向と略平行となるように成形されていた。一方、本実施の形態では、図７の（ｂ）に示すように、中心片１７として、導電板の中央部下側に長手状の金属片が延設されている。また、この金属片は、その長手方向が導電板の長手方向と略垂直となるように成形されている。
【００３５】
図７の（ａ）及び（ｂ）のいずれにおいても、まず、端子付き中心片１１の中心片１７以外の部分を展開するのに、端子付き中心片１１の元となる導電板の長手方向の寸法と短手方向の寸法との面積Ｌ１×Ｗ１が必要となる。次に、中心片１７の部分を展開するのに、一定の面積が必要となる。
【００３６】
図７の（ａ）では、中心片１７が、片方の連結部１３ａの折り曲げられた側の逆側から、導電板の長手方向に延設されている。即ち、寸法Ｌ２である中心片１７の長手方向と導電板の長手方向とが同一方向となるように、中心片１７が形成されている。一方、図７の（ｂ）では、中心片１７が、両方の連結部１３ａ，ｂに挟まれた導電板の中央から、導電板の短手方向に延設されている。即ち、寸法Ｌ２である中心片１７の長手方向と導電板の短手方向とが同一方向となるように、中心片１７が形成されている。このため、図７の（ａ）では、中心片１７の部分を展開するのに、図７の（ｂ）で必要な面積Ｌ１×Ｔが不要となる。したがって、材料歩留りがＬ１×Ｔの面積分少なくて済む。
【００３７】
図８の（ａ）は、図６の（ｂ）に示した実施の形態１のねじ込みソケット１０が備える端子付き側片２１の展開図、図８の（ｂ）は、本実施の形態のねじ込みソケット１０が備える端子付き側片２１の展開図である。
【００３８】
実施の形態１では、図８の（ａ）に示すように、側片２７が、連結部２３ａの折り曲げ加工された側から反対側に長手状の金属片が延設されていた。また、この金属片は、その長手方向が導電板の長手方向と略平行となるように成形されていた。一方、本実施の形態では、図８の（ｂ）に示すように、側片２７として、導電板の中央部下側に長手状の金属片が延設されている。また、この金属片は、その長手方向が導電板の長手方向と略垂直となるように成形されている。
【００３９】
図８の（ａ）及び（ｂ）のいずれにおいても、まず、端子付き側片２１の側片２７以外の部分を展開するのに、端子付き側片２１の元となる導電板の長手方向の寸法と短手方向の寸法との面積Ｌ１×Ｗ１が必要となる。次に、側片２７の部分を展開するのに、一定の面積が必要となる。
【００４０】
図８の（ａ）では、側片２７が、片方の連結部２３ａの折り曲げられた側の逆側から、導電板の長手方向に延設されている。即ち、寸法Ｌ２である側片２７の長手方向と導電板の長手方向とが同一方向となるように、側片２７が形成されている。一方、図８の（ｂ）では、側片２７が、両方の連結部２３ａ，ｂに挟まれた導電板の中央から、導電板の短手方向に延設されている。即ち、寸法Ｌ２である側片２７の長手方向と導電板の短手方向とが同一方向となるように、側片２７が形成されている。このため、図７と同様に、図８の（ａ）では、側片２７の部分を展開するのに、図８の（ｂ）で必要な面積Ｌ１×Ｔが不要となる。したがって、材料歩留りがＬ１×Ｔの面積分少なくて済む。
【００４１】
以上のように、実施の形態２でも、実施の形態１で説明したのと同様の効果を奏するが、実施の形態１では、材料歩留りが少なくなり、さらに、材料費が削減できるので、より安価なソケットを提供することが可能となる。
【００４２】
以上、本発明の実施の形態について説明したが、これらのうち、２つ以上の実施の形態を組み合わせて実施しても構わない。あるいは、これらのうち、１つの実施の形態を部分的に実施しても構わない。あるいは、これらのうち、２つ以上の実施の形態を部分的に組み合わせて実施しても構わない。
【図面の簡単な説明】
【００４３】
【図１】実施の形態１に係るランプソケットを使用した照明器具の部分断面図である。
【図２】実施の形態１に係るランプソケットの平面図である。
【図３】実施の形態１に係るランプソケットの正面図及び底面図である。
【図４】実施の形態１に係るランプソケットの図２におけるＡ−Ａ線断面図及びＢ−Ｂ線断面図である。
【図５】実施の形態１に係るランプソケットが備える端子付き中心片の斜視図及び展開図である。
【図６】実施の形態１に係るランプソケットが備える端子付き側片の斜視図及び展開図である。
【図７】実施の形態１及び２に係るランプソケットが備える端子付き中心片の展開図である。
【図８】実施の形態１及び２に係るランプソケットが備える端子付き側片の展開図である。
【符号の説明】
【００４４】
１０  ねじ込みソケット、１１  端子付き中心片、１２  折り曲げ片、１３  連結部、１４  鎖錠片、１５  押圧片、１６  速結端子金具、１７  中心片、１８  突起部、２１  端子付き側片、２２  折り曲げ片、２３  連結部、２４  鎖錠片、２５  押圧片、２６  速結端子金具、２７  側片、３０  本体、３１  端子金具収納部、３２  ランプ受け部、３３  照明器具取付用ネジ穴、３４  電線挿入口、３５  電線挿入口、４０  カバー、４１  電線解除用ボタン、４２  ネジ山、４３  溝、５０  照明器具、６０  ランプ、７０  器具本体。
【図１】
2008210565.tif 000003
【図２】
2008210565.tif 000004
【図３】
2008210565.tif 000005
【図４】
2008210565.tif 000006
【図５】
2008210565.tif 000007
【図６】
2008210565.tif 000008
【図７】
2008210565.tif 000009
【図８】
2008210565.tif 000010